(57)【要約】【課題】【解決手段】４ウェイパレット（１６）上に荷物（１７）に置くためのキャップと、このキャップの対向する側部の開口（２６）を通ってハウジング（１４）の中に伸縮自在な少なくとも２つの束縛ストランド（１５）と、この束縛ストランドを伸縮させるばね手段と、４ウェイパレットのプラットフォーム（２２）の下側（２１）との係合のための前記束縛ストランドの自由端部のフック（１８）と、前記キャップとパレットとの間の荷物を挟んだあとに、これらキャップとパレットとの間の束縛ストランドを締め付ける引張り手段と、パレットと係合されていないとき、ハウジングの中への前記フックの収縮を制限する停止手段（３４）とを有する。各フックは、フォークリフトトラックのフォークによる損傷もしくは外れの危険性をともなうことなく、４ウェイパレットの真ん中のスペーサ（２０）の各側に１つ装着するように離間された２つのプロング（１９）を有する。
2004503442.tif 000002
【特許請求の範囲】
【請求項１】
４ウェイパレット（１６）上に荷物（１７）を置くためのキャップと、このキャップの互いに対向する側部の開口（２６，６１）を通ってハウジング（１４，５３）の中に伸縮自在な少なくとも２つの束縛ストランド（１５，６０）と、この束縛ストランドを伸縮自在にするばね手段（３３，５７）と、４ウェイパレットのプラットフォーム（２２）の下側（２１）との係合のための前記束縛ストランドの自由端部のフック（１８）と、前記キャップと前記パレットとの間に荷物を挟んだあとに、これらキャップとパレットとの間で前記束縛ストランドを締め付ける引張り手段（３５，５４）と、前記フックがパレットと係合されていないとき、前記ハウジングの中への前記フックの収縮を制限する停止手段（３４，６１）とを具備する、４ウェイパレットと一緒の使用のための荷物束縛手段。
【請求項２】
４つの束縛ストランドが、ハウジング（１４，５３）の中に伸縮自在に、前記キャップ（１１，５１）の各側に１つ設けられていることを特徴とする請求項１に記載の荷物束縛手段。
【請求項３】
前記キャップ（１１）のハウジング（１４）の位置は、パレット（１６）の真ん中のスペーサ（２０）に対応するように、前記ハウジングの開口（２６）の配置を決めることを特徴とする請求項２に記載の荷物束縛手段。
【請求項４】
前記キャップは、十字形で結合された４つのハウジングによって構成されている‘スパイダー’の形態であることを特徴とする請求項１に記載の荷物束縛手段。
【請求項５】
前記ハウジングは、前記スパイダーが配電器への配線もしくは帰線のための小さい束に折りたたまれることを可能とするように、これらの開口から離れた端部で互いにヒンジ留めされていることを特徴とする請求項４に記載の荷物束縛手段。
【請求項６】
前記キャップ（１１，５１）は、複数の箱並びに／もしくはカートンから構成されている荷物（１７）を取り囲むように、垂れ下がったフランジ（１２，５２）を有し、また、前記ハウジング（１４，５３）は、前記キャップの厚さの範囲内で形成されていることを特徴とする請求項１に記載の荷物束縛手段。
【請求項７】
各束縛ストランドは、前記各ハウジング（５３）内の‘薄い’リール（５５）に伸縮自在にらせん状に巻回されたワイヤもしくは非金属のロープ（６０）であり、前記リールは、前記ロープの直径以上は無視できる程度に互いに離間した環状のフランジ（６２）間の短いシリンダ状のコアを有し、前記ロープは、このコアにらせん状に巻回され、前記リールの軸は、前記キャップの一様平面に直交し、前記コアは、前記ハウジング内に回転可能に取着されたシャフト（５６）に設けられており、また、前記リールに並んでいる前記シャフトの周りに巻かれた巻き戻しばね（５７）と、この巻き戻しばね（５７）の動作によって前記フック（１８）が前記ハウジングの中へ引かれ得る程度に制限する停止手段（６１，１８）と、前記リール（５５）と同軸で前記リール及びシャフト（５６）とともに回転可能であるラチェット（５８）とが設けられており、このラチェットは、前記リール（５５）から前記ロープ（６０）の引張りを停止もしくは防止するように前記ラチェット（５８）の歯（６５）と係合するつめ（５９）と、このつめ（５９）が前記ラチェットの歯（６５）と係合したときに、前記ロープ（６０）を引っ張る手操作可能な手段（６３）とを備えていることを特徴としており、また、前記ラチェット（５８）の各歯（６５）は、前記つめと係合可能な面（６６）を有し、この面は、前記シャフト（５６）の軸から前記面の径方向内側の端部を通る径方向の線（６７）に対して、また、前記リール（５５）から前記ロープ（６０）を解く方向に対して、径方向内側の端部から前方に傾斜され、前記つめ（５９）は、前記ラチェット（５８）のいずれか１つの歯（６５）の前記面（６６）との相互係合のための相補的な面（６８）を有し、前記つめ（５９）には、前記つめ（５９）を前記ラチェット（５８）との係合の方に付勢することと、前記つめ（５９）を前記ラチェット（５８）から離して保持する位置の方へ付勢することとの間で、ばねの付勢の作用を切り換える、手操作可能な手段（７０）を備えたばね付勢手段が設けられており、前記手操作可能な引張り手段（６３）は、前記シャフト（５６）の一端部（６３）と係合可能なセパレートレンチによることを特徴とする請求項１ないし６のいずれか１に記載の荷物束縛手段。
【請求項８】
前記ラチェット（５８）の各歯（６５）の前記面（６６）の傾斜角度は、前記シャフト（５６）の軸からの前記径方向の線（６７）に対して少なくとも１０°であることを特徴とする請求項７に記載の荷物束縛手段。
【請求項９】
前記ばね付勢手段は、前記つめ（５９）と一体的に形成された可撓的な舌部（６９）であり、前記手操作可能な切り換え手段は、前記ハウジングの突出部（７１）の一側部からこの突出部の他側部まで相互的に移動可能なつめ（５９）の前記舌部（６９）の自由端に設けられたノブ（７０）を有することを特徴とする請求項７もしくは８に記載の荷物束縛手段。
【請求項１０】
前記突出部（７０）は、弾力性があることを特徴とする請求項９に記載の荷物束縛手段。
【請求項１１】
１対のリール（５５）が、ハウジング（５３）内の単一のシャフト（５６）に含まれ、単一の巻き戻しばね（５７）と、ラチェット（５８）と、つめ（５９）とを備えており、前記２つのロープ（６０）のためのハウジング（５３）からの２つの開口（６１）は、互いに隣り合う前記キャップ（５１）の側部に設けられ、類似の２重リールユニット（５４）は、前記キャップ（５１）の他の２つの隣り合う側部（５２）の開口（６１）へのロープ（６０）のために設けられていることを特徴とする７ないし１０のいずれか１に記載の荷物束縛手段。
【請求項１２】
前記各束縛ストランドはストリップ（１５）であり、前記各ハウジング内には、このハウジングの端部間に、前記開口（２６）である一端部にある平行なガイド（２５）と、このガイドに沿って、前記開口に向かう方及び離れる方へ摺動可能で、主に、段階的な径の複数のクロスバー（２８，２９，３０）によって構成されているクロスヘッド（２７）と、このクロスヘッドから前記ハウジングの対向する端部の隣の段階的なクロスバーの固定列（３１，３２）とが設けられており、すべて、最小径のクロスバー（２８，３１）と共通な面内にある前記クロスヘッドのクロスバーの各軸と固定列とは、互いに近接しており、前記ストラップ（１５）は、前記最小径のクロスバーの一方（２８）に固定された内端部を有し、他の最小径のクロスバー（３１）と、前記クロスヘッドと固定列との各連続的に大きくなる径のクロスバー（２９，３２，３０）との周りで複滑車列に巻きつけられ、また、前記ハウジング（２３，２４）の開口（２６）から露出するストラップの最後の巻回部と、前記固定列（３１，３２）から離れる方へ前記クロスヘッド（２７）を付勢するばね手段（３３）とを備え、収容され得る前記ストラップの全長は、主として、前記クロスヘッドと前記固定列との間に複数、及び長い巻回部に応じており、また、前記複数の巻回部は、前記クロスヘッドと前記固定列との複数のクロスバーによって決められることを特徴とする１ないし６のいずれか１に記載の荷物束縛手段。
【請求項１３】
前記クロスヘッド（２７）内には３つのクロスバー（２８，２９，３０）があり、前記固定列内には、２つのクロスバー（３１，３２）があることを特徴とする請求項１２に記載の荷物束縛手段。
【請求項１４】
前記ストラップ（１５）が固定されている最小のクロスバー（２８）を除く、前記クロスヘッド（２７）と前記固定列との両方のクロスバー（２９，３０，３１，３２）は、前記ハウジングの一端部に固定された、もしくは一端部と一体的なガイド、すなわち側部チェックに沿って摺動可能なクロスヘッドの側部チェックに対して回転可能に回転することを特徴とする請求項１２もしくは１３に記載の荷物束縛手段。
【請求項１５】
前記クロスバーの一部もしくは全部は、回転不可能であり、低摩擦面が設けられていることを特徴とする１２もしくは１３に記載の荷物束縛手段。
【請求項１６】
前記ガイド（２５）はチャンネルであり、このチャンネルに沿って、前記クロスヘッド（２７）のウィングと、収容する圧縮コイルばね（３３）とを摺動することを特徴とする請求項１２ないし１５のいずれか１に記載の荷物束縛手段。
【請求項１７】
前記ガイドは、前記クロスヘッド（２７）を通過するバー（４６）であり、圧縮コイルばね（３３）によって囲まれていることを特徴とする請求項１２ないし１５のいずれか１に記載の荷物束縛手段。
【請求項１８】
前記ばね手段は、引張りばねであるか、複数のばねであることを特徴とする請求項１２ないし１５のいずれか１に記載の荷物束縛手段。
【請求項１９】
前記引張り手段（３５）は、中央部にわたってロックする動作を備えたレバーメカニズムであることを特徴とする請求項１２ないし１８のいずれか１に記載の荷物束縛手段。
【請求項２０】
前記引張り手段（３５）は、プッシュロック動作、もしくはばね捕捉を備えた前記開口の隣のハウジング内の回転装置を備えたレバーメカニズムであることを特徴とする請求項１２ないし１８のいずれか１に記載の荷物束縛手段。
【請求項２１】
前記フック（１８）が、前記開口（２６）を通して前記ハウジング（２３，２４）の中へ引かれることを防止する前記停止手段（３４）は、前記フック（１８）を前記開口（２６）より幅広くすることによって達成されることを特徴とする請求項１２ないし２０のいずれか１に記載の荷物束縛装置。
【請求項２２】
前記開口は、前記ストラップが完全に引き出されたときに前記フックがほとんど飛び出さないように、前記ハウジングの端部内にくぼんで形成されていることを特徴とする請求項２１に記載の荷物束縛手段。
【請求項２３】
前記キャップ、すなわち前記フックによる係合のための蓋の下側には、リセスが設けられていることを特徴とする請求項１２ないし２０のいずれか１に記載の荷物束縛手段。
【請求項２４】
各フック（１８）は、少なくともパレット（１６）の真ん中のスペーサの幅だけ互いに離間した２つのプロング（１９）を有し、これらプロング（１９）は、フォークリフトトラックのフォークによる損傷や外れの危険性をともなうことなく、前記スペーサ（２０）の両側のうち１つで、前記プラットフォーム（２２）の下側（２１）と係合することができることを特徴とする請求項１ないし２３のいずれか１に記載の荷物束縛手段。
【請求項２５】
パレットと係合されていないとき、前記フック（１８）は、開口の周りのハウジング（２３，２４）と係合して、これらハウジングは、前記停止手段を構成していることを特徴とする請求項２４に記載の荷物束縛手段。
【請求項２６】
前記開口（２６）は、パレット（１６）と係合されていないときに人員にけがを負わせることがないところで前記フック（１８）が前記キャップ（１１）の側部に巻かれるように、前記キャップの側部にくぼんで形成されている。
【発明の詳細な説明】
【０００１】
【発明の属する技術分野】
本発明は、荷物取り扱いパレット及び荷物縛り手段に関する。
【０００２】
【従来の技術】
ハウジング、このハウジング内に回転可能に取着されたシャフト、このシャフトに取着されて回転可能なドラムと、このドラムに巻回されたストラップなどのストランドと、前記束縛するストランドが通過して露出する前記ハウジングの開口と、荷物に前記ストランドを固定するための、もしくは前記パレット上に荷物に前記ストランドをわたした後にパレットの係止手段に固定するための前記束縛ストランドの自由端に設けられた取着手段と、前記ドラムと並んで前記シャフトの周りに巻かれた巻き戻しばねと、この巻き戻しばねの動作によって前記取着手段が前記開口を通してハウジングの中へ引き出されるのを防止する停止手段と、前記ドラムと同軸で前記ドラム及びシャフトとともに回転可能であるラチェットと、前記ドラムから前記束縛ストランドの引張りを停止もしくは防止する前記ラチェットの歯と係合するつめと、このラチェットとの前記つめの係合を達成するための手段とを有しており、手操作手段が、前記つめが前記ラチェットの歯と係合したときに前記束縛ストランドを引っ張るために設けられている、４ウェイパレットなどの荷物を処理するパレットへ組み込むためのリールユニットを提供することは知られている。
【０００３】
ＥＰ−Ａ−０　５８５　８３２には、前記パレットのプラットフォームを受ける荷物の一側部の下のスペーサブロックと並んで固定されたリールユニットと共に、パレットが記載されており、前記束縛ストランドはストラップであり、また、前記取着手段は、前記プラットフォームの他側部の下のスペーサブロックと並んで固定されたハウジングのスキー引張り装置（ｓｋｉ−ｔｅｎｓｉｏｎｅｒ）タイプである係止手段との係合のためのループである。代わって、引張り装置は、ストラップ内に、もしくはリールユニット内に含まれ得、リールユニット内に含まれた引張り装置の一形態は、前記ストラップの解きを防止する第２のラチェットの歯と係合するための第２の歯と、前記つめの一端部もしくは他端部が選択的に動作させないように設けられた手操作可能な切り換え手段と、前記シャフトに固定された駆動ギアホイールに係合されたレバー動作する駆動ピニオンによって、ベルトに適用される引張り部とを備え、前記ドラムと同軸で前記ドラム及びシャフト共に回転可能な第２のラチェットを有する。
【０００４】
ＪＰ−Ａ−１０１６７２６７には、他のパレットが、荷物を受けるプラットフォームと一体的にモールド成形された４つのコーナースペーサの各々の対応する外側部に、この他のパレットが固定されたリールユニットと共に開示されており、前記束縛ストランドはストラップであり、また、前記取着手段はループであるが、前記係止手段が前記リールのハウジングによって締められていない前記コーナースペーサの外側部内のフックであり、前記ハウジングは、また、前記つめが前記ラチェットに係合するときに前記ストラップを引っ張るためのレバー手段を支持する。
【０００５】
【発明が解決しようとする課題】
ＥＰ−Ａ−０　５８５　８３２の前記リールユニットは、既存の４ウェイパレットに容易に加えられ得、これら４ウェイパレットの多くは木製であり、これらは、フォークリフトトラックのフォーク部との接触が生じるところに位置されるために損傷しやすい。一方、ＪＰ−Ａ−１０１６７２６７の前記リールユニットは、前記コーナースペーサに含まれていることによって、フォークリフトトラックのフォークからいくらか保護されているが、このようなパレットは高価であるので、多くの既存の４ウェイパレットと代替できない可能性がある。
【０００６】
したがって、本発明の目的は、限定されないが特に木製である既存の４ウェイパレットとの一緒の使用のための荷物束縛手段の提供である。
【０００７】
【課題を解決するための手段】
本発明によれば、４ウェイパレット上に荷物を置くためのキャップと、このキャップの互いに対向する側部の開口を通ってハウジングの中に伸縮自在な少なくとも２つの束縛ストランドと、この束縛ストランドを伸縮自在にするばね手段と、４ウェイパレットのプラットフォームの下側との係合のための前記束縛ストランドの自由端部のフックと、前記キャップと前記パレットとの間に荷物を挟んだあとに、これらキャップとパレットとの間で前記束縛ストランドを締め付ける引張り手段と、前記フックがパレットと係合されていないとき、前記ハウジングの中への前記フックの収縮を制限する停止手段とを有する。
【０００８】
好ましくは、４つの束縛ストランドが、ハウジングの中に伸縮自在に、前記キャップの各側に１つ設けられており、前記キャップのハウジングの位置は、好ましくは、前記キャップのハウジングの位置は、パレットの真ん中のスペーサに対応するように、前記ハウジングの開口の配置を決める。代わって、前記キャップは、十字形で結合された４つのハウジングによって構成されている‘スパイダー’の形態であってよい。これらハウジングは、前記スパイダーが配電器への配線もしくは帰線のための小さい束に折りたたまれることを可能とするように、これらの開口から離れた端部で互いにヒンジ留めされていてよい。
【０００９】
しかし、パレット化される多くの荷物が、ダンボール箱、並びに／もしくはカートン内の食材のような製品などの積重ねる荷物、並びに／もしくは束縛する荷物に割り当てられる全体的なキャップ、もしくは複数の箱並びに／もしくはカートンからなる荷物を取り囲むように垂れ下がったフランジを備えたキャップを必要とするので、前記キャップの厚さの範囲内のハウジングを提供することが都合がよい。
【００１０】
各束縛ストランドは、前記各ハウジング内の‘薄い’リールに伸縮自在にらせん状に巻回されたワイヤもしくは非金属のロープであり、前記リールは、前記ロープの直径以上は無視できる程度に互いに離間した環状のフランジ間の短いシリンダ状のコアを有し、前記ロープは、このコアにらせん状に巻回され、前記リールの軸は、前記キャップの一様平面に直交し、前記コアは、前記ハウジング内に回転可能に取着されたシャフトに設けられており、また、前記リールに並んでいる前記シャフトの周りに巻かれた巻き戻しばねと、この巻き戻しばねの動作によって前記フックが前記ハウジングの中へ引かれ得る程度に制限する停止手段と、前記リールと同軸で前記リール及びシャフトとともに回転可能であるラチェットとが設けられており、このラチェットは、前記リールから前記ロープの引張りを停止もしくは防止するように前記ラチェットの歯と係合するつめと、このつめが前記ラチェットの歯と係合したときに、前記ロープを引っ張る手操作可能な手段とを備えていることを特徴としており、また、前記ラチェットの各歯は、前記つめと係合可能な面を有し、この面は、前記シャフトの軸から前記面の径方向内側の端部を通る径方向の線に対して、また、前記リールから前記ロープを解く方向に対して、径方向内側の端部から前方に傾斜され、前記つめは、前記ラチェットのいずれか１つの歯の前記面との相互係合のための相補的な面を有し、前記つめには、前記つめを前記ラチェットとの係合の方に付勢することと、前記つめを前記ラチェットから離して保持する位置の方へ付勢することとの間で、ばね付勢の作用を切り換える、手操作可能な手段を備えたばね付勢手段が設けられており、前記手操作可能な引張り手段は、前記シャフトの一端部と係合可能なセパレートレンチによる。前記ラチェットの各歯の前記面の傾斜角度は、前記シャフトの軸からの前記径方向の線に対して少なくとも１０°であることが好ましい。
【００１１】
前記ラチェットから前記つめを離して保持するようにセットされたこのつめのばね付勢手段のための手操作可能な切り換え手段を備えたパレット上の荷物に載せるように前記キャップのリールユニットを挿入したとき、前記フックを引くことによるように、このフックによって前記パレットに固定するのに必要とする、もしくは固定されることを可能とする程度ならいくらでも、前記手操作可能な切り換え手段は、前記ラチェットとの係合の方へ前記つめを付勢するように、前記ばね付勢手段のためにセットされ、前記手操作可能な引張り手段は、前記ロープを引っ張るように動作され得る。前記つめの相互係合する相補的な傾斜面と、これが係合する前記ラチェットの歯のいずれか１つとのために、前記手操作可能な切り換え手段は、前記ばね付勢手段が前記ラチェットから離れた位置のほうへ前記つめを付勢するが、わずかに追加的にロープの引っ張って前記パレットから荷物を解放することが望まれるときまで、前記ラチェットから前記つめを引き戻すことない位置にセットされ得る。前記シャフトに適用されるセパレートレンチによるように達成されるために、前記ラチェットの結果として生じるわずかな回転が、前記つめの相互係合する相補的な面と、前記ラチェットから離して前記つめを引き戻す前記ばね付勢手段にとって十分に分離された係合される歯とを生じ、このあと、前記フックは、前記引き戻しばねが前記ロープに前記リールに対して解かれることを可能とするように前記シャフトに自由に作用するように、前記パレットから解放され得る。
【００１２】
前記ばね付勢手段は、前記つめと一体的に形成された可撓的な舌部であることが好ましく、前記手操作可能な切り換え手段は、前記ハウジング上の突出部の一側部から前記突出部の他側部まで手操作可能な前記つめ部の下部の自由端上にノブを有し、また、前記突出部は、弾力があることが好ましい。
【００１３】
このようなリールの‘厚さ’によって、１対のリールが、ハウジング内の単一のシャフトに含まれ、単一の巻き戻しばねと、ラチェットと、つめとを備えており、前記２つのロープのためのハウジングからの２つの開口は、互いに隣り合う前記キャップの側部に設けられ、類似の２重リールユニットは、前記キャップの他の２つの隣り合う側部の開口へのロープのために設けられている。
【００１４】
代わって、前記各束縛ストランドはストリップであり、前記各ハウジング内には、このハウジングの端部間に、前記開口である一端部にある平行なガイドと、このガイドに沿って、前記開口に向かう方及び離れる方へ摺動可能で、主に、段階的な径の複数のクロスバーによって構成されているクロスヘッドと、このクロスヘッドから前記ハウジングの対向する端部の隣の段階的なクロスバーの固定列とが設けられており、すべて、最小径のクロスバーと共通な面内にある前記クロスヘッドのクロスバーの各軸と固定列とは、互いに近接しており、前記ストラップは、前記最小径のクロスバーの一方に固定された内端部を有し、他の最小径のクロスバーと、前記クロスヘッドと固定列との各連続的に大きくなる径のクロスバーとの周りで複滑車列に巻きつけられ、また、前記ハウジングの開口から露出するストラップの最後の巻回部と、前記固定列から離れる方へ前記クロスヘッドを付勢するばね手段とを備え、収容され得る前記ストラップの全長は、主として、前記クロスヘッドと前記固定列との間に複数、及び長い巻回部に応じており、また、前記複数の巻回部は、前記クロスヘッドと前記固定列との複数のクロスバーによって決められる。
【００１５】
前記ストラップが固定されている最小のクロスバーを除く、前記クロスヘッドと前記固定列との両方のクロスバーは、前記ハウジングの一端部に固定された、もしくは一端部と一体的なガイド、すなわち側部チェックに沿って摺動可能なクロスヘッドの側部チェックに対して回転可能に回転する。すなわち、これらクロスバーののうちのいくつか、もしくはすべてが回転不可能であり、低摩擦面が設けられている。
【００１６】
前記ガイドは、コイル圧縮ばねを収容する前記クロスヘッドのどちらかの摺動ウィングに沿うチャンネルであってよい。代わって、前記ガイドは、前記クロスヘッドを通るバーであり、コイル圧縮ばねによって囲まれている。代わって、前記ばね手段は、引張りばねであっても、複数のばねであってもよい。
【００１７】
前記引張り手段は、中央部を超えるロック動作を有する、もしくはプッシュロック動作またはばね捕捉を備えた開口の隣のハウジング内の回転装置を有するレバーメカニズムであってよい。
【００１８】
前記フックが前記開口を通って前記ハウジングの中へ引っ張られることを防止する前記停止手段は、フックを前記開口より幅広くすることによって形成することができ、後者は、前記ストラップが完全に引き戻されたときに前記フックが十分に飛び出ないように、前記ハウジングの端部内に埋め込まれている。代わって、前記キャップの下側、もしくは前記フックによる係合のための蓋には、リセスが設けられている。
【００１９】
各フックは、少なくともパレットの真ん中のスペーサの幅で互いに離間された２つのプロング（ｐｒｏｎｇ）を有し、これらプロングは、フォークリフトトラックのフォークによる損傷、もしくは外れの危険をともなうことなく、前記スペーサの両側のうち１つで、前記プラットフォームの下側と係合することができる。好ましくは、前記フックがパレットと係合されていないときに、フックは、開口の周りのハウジングと係合し、かくして、前記ハウジングは、前記停止手段を構成している。また、好ましくは、前記開口は、パレットと係合されていないときに人員にけがを負わせることがないところで前記フックが前記キャップの側部に巻かれるように、前記キャップの側部に対して、埋め込まれている。
【００２０】
前記キャップは、配電器にキャップとパレットを戻すときの利便性のために、類似したキャップ内に、並びに／もしくはパレットとともに、重ね合うことが可能である。
【００２１】
前記パレット上に固定された前記キャップ並びに／もしくは荷物がたどられる、もしくは追跡されることが可能であるように、前記キャップには、応答器が含まれている。
【００２２】
単なる例によって、３つの実施の形態が、図面を参照して以下に記載されている。
【００２３】
【発明の実施の形態】
図１において、４辺のすべてに沿うフランジ１２を備えた矩形のキャップ１１は、図２に見られるように、パレット１６上に荷物１７を固定するためにこのパレット１６と共に用いる伸縮自在なストラップ１５（１つのみ見ることができる）用の２つのユニット１４を収容するリセス１３を有する。前記各ストラップは、これの自由端に、二股のフック１８の形式である取着手段を有し、このフック１８の２つのプロング１９は、スペーサ２０の各端部に向いたこれらプロングを備えた前記パレットのプラットフォーム２２の下側部によって構成されている係止手段２１と係合可能であるように、少なくとも前記パレットの中間スペーサ２０の幅だけ互いに離間されている。
【００２４】
図３において、キャップ１１Ｘは、図２に示されているパレットと類似の形式であるが、前記パレット上への荷物のさらに確実な固定をもたらすパレット（図示されていない）との使用のための伸縮自在なストラップ（どれも見えない）用の４つのユニット１４を収容する３つのリセス１３Ｘ，１３Ｙ，１３Ｚを有する。
【００２５】
ユニット１４の構成と、これのストラップ１５を引っ張るためのメカニズム、及びこのストラップを伸縮させるためのメカニズムとは、図４ないし１０を参照して、以下に詳細に説明される。
【００２６】
前記ユニット１４は、下部２３及び上部２４と、前記ハウジングの長手方向に平行なガイド２５と、前記ハウジングの一端部の隣にあり、前記ハウジング内に収容されたストラップ１５の露出用の開口２６とである分離可能な部品によって形成されたハウジングと、前記開口に向かう方及び離れる方へ摺動可能で、主に、段階的な径の複数のクロスバー２８，２９，３０によって構成されているクロスヘッド２７と、このクロスヘッドから前記ハウジングの対向する端部の隣の段階的なクロスバーの固定列３１，３２とが設けられており、すべて、最小径のクロスバー２８，３１と共通な面内にある前記クロスヘッドのクロスバーの各軸と固定列とは、互いに近接しており、前記ストラップ１５は、前記最小径のクロスバーの一方２８に固定された内端部を有し、他の最小径のクロスバー３１と、前記クロスヘッドと固定列との各連続的に大きくなる径のクロスバー２９，３２，３０との周りで複滑車列に巻きつけられ、また、前記ハウジング２３，２４の開口２６から露出するストラップの最後の巻回部と、前記固定列３１，３２から離れる方へ前記クロスヘッド２７を付勢するように、圧縮コイルばねによって構成されたばね手段３３と、前記取着手段（すなわち、フック１８）が、前記クロスヘッドを前記固定列から離して付勢するばね手段の動作によって前記ハウジングの中へ引き出され得る程度に制限するための停止手段３４と、図２に示されているように、ストラップがパレット上に荷物を固定するように配置されたあとに、前記ハウジングと前記取着手段との間にこのストラップ１５を引っ張るための手操作可能な手段３５とを備えている。
【００２７】
前記手操作可能な引張り手段３５は、前記固定列のクロスバー３１，３２に平行に、このアレイと前記開口２６との間に固定的に設けられたクロスピン３６と、前記クロスピンに平行な軸上に、このクロスピンと前記開口２６との間に設けられたＵ字形状のレバー３７と、前記クロスピンに平行に延出している前記レバーのアーム間にあり、非動作位置（図１，２，４，５，並びに９参照）からロック位置（図６及び１０参照）まで、すなわち前記クロスバーから離れた位置（特に図９参照）から前記クロスピンに接近した位置（特に図１０参照）までのレバーの動きによって回動するようにされるスロット付きクロスバー３９とを有し、前このクロスバー３９のスロット４０は、所定の幅を有し、前記クロスバー３９が前記クロスピン３６から離れた位置にあるときに前記ストラップ１５が前記スロット（図９に示されている）を自由に通過し、これによって、前記クロスバー３９が前記クロスピンに接近した位置に向かって回動されるとき（前記非動作位置からロック位置までのレバー３７の回動によって）、前記クロスバー３９が前記クロスピン（図１０に示されている）に近づくにしたがって、前記ストラップ１５が、前記クロスバー３９の周りにＳ字形状に巻かれ、また、前記クロスピン３６の周りに部分的に巻かれることによって引っ張られるように配置されている。
【００２８】
前記レバー３７の回動は、約１８０°であり、前記フック１８がパレットに係合した後で、ストラップのゆるみが、前記クロスヘッド２７を前記固定列３１，３２から離すように付勢するばね手段３３によってピンと張られ、前記ストラップ１５にかなりの引張り力を与えるのに十分である。
【００２９】
ばね、すなわち移動止め手段が、前記レバー３７をロック位置に保持するように設けられて良いが、特に前記クロスバー３９と前記クロスピン３６との間にストラップ１５を挟むことが、前記クロスバー３９の前記クロスピンへのアプローチの接近を生じる場合、前記ストラップ１５と前記クロスピン３６との間の摩擦が、前記レバーをロック位置に保持するのに十分であっても良い。
【００３０】
前記レバー３７の回動は、前記レバーのアーム４２間のハンドレバー４１を把持することによって達成される。前記非動作位置において、前記レバー前記フック１８に対しても保護を提供するように下方に延長された１対のチェック４３によって偶発的接触から保護される。前記ハウジングの上部２４にある１対のスロット４４は、非動作位置からロック位置まで回動するように前記レバーのアーム４２を収容しており、ロック位置において、前記レバーのハンドル４１は、前記スロット４４間の溝４５に収容され、かくして、偶発的接触から保護される。
【００３１】
圧縮コイルばね３３は、前記ハウジングの下部の全長にわたって延出し、組み立て中に単に前記ばね３３を所定の位置に保持するに過ぎない硬いストリップ４６を巻くように示されており、前記ばねのわずかな予備圧縮が、別の状況ではこれらばねに湾曲をさせて飛び出させる。
【００３２】
図１１ないし１５において、４辺に沿うフランジを備えた矩形のキャップ５１は、単一の巻き戻しばね５７、ラチェット５８、並びにつめ５９を備えた単一のシャフト５６上の１対のリール５５をそれぞれ有する２つのリールユニット５４を収容しているハウジング５３を有する。各リール５５には、このリールから前記ハウジング５３の一側部の開口６１まで延出しているワイヤ、もしくは非金属ロープ６０がらせん状に巻かれている。ツインリールユニット５４の両方からの２つのロープのための２つの開口は、互いに隣り合って前記キャップ５１の側部に設けられている。
【００３３】
前記ロープ６０の自由な端部に設けられたフック１８には、２つのプロング１９が設けられており、これらプロングは、前記キャップ５１が前記パレット上に荷物１７を位置させ、フックが前記ハウジング５３から前記ロープを引き出すように下に引かれた後に、前記パレットのプラットフォームの下側を、真ん中のスペーサの各側に対して１つ係合することができる。各フック１８は、このフックが前記ハウジングの中へ引き出され得る程度に制限する停止手段を構成するように、前記ハウジングの各開口６１の幅より広い範囲を有する。
【００３４】
図１３に見られるように、各リール５５は、らせん状に巻かれた前記ロープが前記リール内で縛られないように、ロープ６０の直径以上は無視できる程度に互いに離間されている環状のフランジ６２（中間のフランジは両リールに共通である）同士間のシャフト５６に設けられた短いシリンダ状のコアを有している。前記シャフト５６は、前記ハウジング５３に回転可能に取着されており、前記ラチェット５８は、前記リール５５及び前記シャフト５６と共に回転可能である。このラチェットには、一端部に、上述のようなパレットとの前記フック１８の係合後、前記ロープ６０の引張りを達成するための手操作可能な手段を構成しているセパレートレンチ（図示されていない）によって係合可能である四角いソケット６３（図１５参照）が設けられている。
【００３５】
前記つめ５９は、前記リール５５からの前記ロープ６０の引張りを留める，もしくは防止するためにラチェット５８の歯６５と係合されることを可能にするように、ピボット６４に取着されている。各歯６５は、係合面６６を有しており、この係合面６６は、この面の径方向内側の端部を通る前記シャフト５６の軸からの径方向の線６７に関して、また、前記リール５５からロープ６０を解く方向に関して径方向内側の端部から前方に傾斜している。前記つめ５９は、前記ラチェット５８のいずれか１つの歯６５の面６６と相互係合する相補面６８を有する。前記つめ５９には、前記ラチェット５８との係合へこのつめ５９を付勢すること（図１５の実線で示されている）と、前記ラチェットから離した位置にこのつめ５９を付勢することとの間でばね付勢の作用を切り換えるための手操作可能な切り換え手段（前記ハウジング５３上の可撓的な突出部７１の一側部から他側部まで移動可能な舌部６９の端部に設けられたノブ７０の形式）を備えたばね付勢手段（可撓的な舌部６９の形式）が設けられている。前記ラチェット５８の各歯６５の面６６の傾斜角は、前記シャフト５６の軸からの径方向の線６７に対して少なくとも１０°である。
【００３６】
前記つめ５９のばね付勢手段６９のための前記手操作可能な切り換え手段７０は、前記ラチェット５８から離して保持するようにセットされる場合、上述のように、前記ロープがパレット１６に固定されることができるのに必要な程度であればいかなる程度であっても、前記フック１８を引くことによって、前記ロープ６０は、前記リールからほどかれ得る。そして、前記手操作可能な切り換え手段７０は、前記つめ５９を前記ラチェット５８との係合へ付勢するように、前記ばね付勢手段６９に対してセットされる。前記手操作可能な引張り手段（すなわち、前記シャフト５６の一端部の四角いソケット６３と係合されているセパレートレンチ）は、前記ロープを引っ張るように作動され得る。前記ラチェット５８の歯６５のいずれか１つの前記つめの傾斜した相補的な係合面６８，６６のために、前記手操作可能な切り換え手段７０は、前記ばね付勢手段６９が前記ラチェット５８から離れた位置の方へ前記つめ５９を付勢する位置（図１５に一点鎖線で示されている）にセットされ得る。しかし、前記荷物１７を前記パレット１６から解放することが望まれるときに、ロープ６０のわずかな追加の引張り（前記シャフト５６に再び付勢される前記セパレートレンチの手段によって作用される）と、前記ラチェット５８のわずかな回転が、前記つめの傾斜した相補的な係合面６８，６６及び係合される歯６５に、前記ラチェットから離して回収するように、ばね付勢手段６９に対して十分離させるまで前記ラチェットから前記つめを引き離すことなく、前記フック１８は、前記ロープ６０がリール５５に巻き戻されることを可能にするように巻き戻しばね５７が前記シャフト５６に自由に作用するように、前記パレット１６から解放され得る。
【００３７】
主な目的は、４ウェイパレットとの使用のための縛る手段を荷物に提供することであるが、本明細書に記載されたキャップが、添付の図面の図１及び２を参照して述べられているように、特にこのキャップの各側部でそれぞれ２つの縛りストランドのみを備えているパレットと共に用いられ得ることが理解される。
【図面の簡単な説明】
【図１】図１は、伸縮自在のストラップが収容されている１対のユニットを含む本発明に係るキャップの斜視図である。
【図２】図２は、パレット上に荷物を固定する使用における図１のキャップを示す斜視図である。
【図３】図３は、伸縮自在のストラップを備えた４つのユニットを含む本発明に係るキャップの平面図である。
【図４】図４は、拡大寸法での図１の一部の断片的な斜視図である。
【図５】図５は、取外されたユニットのハウジングの上部を備えた拡大寸法での図１の同じ部分の断片的な斜視図である。
【図６】図６は、取外されたハウジングの上部を備えた拡大寸法での図２に見られる同じ部分の断片的な斜視図である。
【図７】図７は、図１，４，並びに５と一致する位置にあるメカニズムの露出された部品であり、取外されたハウジングの上部を備えたユニットの他端部の断片的な斜視図である。
【図８】図８は、図７に類似しているが、図２及び６と一致する位置にある露出された部品を示す図である。
【図９】図９は、図１，４，並びに５に一致する位置にあるメカニズムの部品を備えたユニットの両端部を通る長手方向の軸方向セクションを示す図である。
【図１０】図１０は、図９の類似図であるが、図２及び６と一致する位置にあるメカニズムの部品を備えたユニットの外端部のみを示す図である。
【図１１】図１１は、伸縮自在な４つの束縛ロープを含む本発明に係るキャップの線図的な平面図である。
【図１２】図１２は、図１１のキャップの側部立面図である。
【図１３】図１３は、図１１の線Ａ−Ａに沿う拡大して詳細にされた断片的なセクションを示す図である。
【図１４】図１４は、図１１に対応しているが、パレット上に荷物を固定するように引き出された束縛ロープを示す図である。
【図１５】図１５は、２つのロープに対する引張りロックメカニズムの詳細を示す図１４の一部の拡大された断片的な平面図である。
【図１】
2004503442.tif 000003
【図２】
2004503442.tif 000004
【図３】
2004503442.tif 000005
【図４】
2004503442.tif 000006
【図５】
2004503442.tif 000007
【図６】
2004503442.tif 000008
【図７】
2004503442.tif 000009
【図８】
2004503442.tif 000010
【図９】
2004503442.tif 000011
【図１０】
2004503442.tif 000012
【図１１】
2004503442.tif 000013
【図１２】
2004503442.tif 000014
【図１３】
2004503442.tif 000015
【図１４】
2004503442.tif 000016
【図１５】
2004503442.tif 000017
【国際公開パンフレット】
2004503442.tif 000018
2004503442.tif 000019
2004503442.tif 000020
2004503442.tif 000021
2004503442.tif 000022
2004503442.tif 000023
2004503442.tif 000024
2004503442.tif 000025
2004503442.tif 000026
2004503442.tif 000027
2004503442.tif 000028
2004503442.tif 000029
2004503442.tif 000030
2004503442.tif 000031
2004503442.tif 000032
2004503442.tif 000033
2004503442.tif 000034
2004503442.tif 000035
2004503442.tif 000036
2004503442.tif 000037
2004503442.tif 000038
2004503442.tif 000039
2004503442.tif 000040
2004503442.tif 000041
2004503442.tif 000042
2004503442.tif 000043
2004503442.tif 000044
2004503442.tif 000045
2004503442.tif 000046
2004503442.tif 000047
【国際調査報告】
2004503442.tif 000048
2004503442.tif 000049